(57)【要約】【課題】消費電力を据え置いたままで商品への照度をアップさせ、また、商品を覆っているラップに発光ダイオードのチップが写らないようにすること。さらには、発光ダイオードが発熱しても発光ダイオード照明器具が反らないようにすること。【解決手段】断面形状を略三角形状とした長尺物で透光性のケーシング２の背部１０の内側面に、発光ダイオード５を直線状に複数実装したプリント基板６を配置する。プリント基板６の発光ダイオード５は水平方向に光を照射させる。この発光ダイオード５からの光を下方へ反射させるべく反射板７を所定の角度で傾斜させて配置する。測定結果では、略９０°の角度の範囲で従来と比較して照度をアップさせることができ、角度が０°の場合では従来と比較して照度を略１．３３倍アップさせることができた。【選択図】図５
2019091585.tif 000002
【特許請求の範囲】
【請求項１】
発光ダイオードからの光を商品に照射する発光ダイオード照明器具において、
発光ダイオード（５）を実装したプリント基板（６）と、
前記発光ダイオード（５）からの光を反射させて該反射光を前記商品に照射する反射板（７）と、
前記プリント基板（６）と前記反射板（７）を納装しているケーシング（２）と
を備えていることを特徴とする発光ダイオード照明器具。
【請求項２】
前記発光ダイオード（５）からの光を略水平方向に照射すべく前記プリント基板（６）を立設し、
該プリント基板（６）の発光ダイオード（５）からの光を垂直方向に下方に反射させるべく所定の角度で傾斜させて前記反射板（７）を配置していることを特徴とする請求項１に記載の発光ダイオード照明器具。
【請求項３】
前記ケーシング（２）の断面形状を略三角形状としていることを特徴とする請求項２に記載の発光ダイオード照明器具。
【請求項４】
前記ケーシング（２）の断面形状を略三角形状以外の四角形、多角形や円形としていることを特徴とする請求項１または請求項２に記載の発光ダイオード照明器具。
【発明の詳細な説明】
【技術分野】
【０００１】
本発明は、光源を発光ダイオード（ＬＥＤ）とした発光ダイオード照明器具に関するものであり、詳しくは、商品を陳列する什器や、冷凍冷蔵ショウーケースの商品棚の下面に配設される発光ダイオード照明器具に関するものである。
【背景技術】
【０００２】
図８は従来の断面を円形とした照明器具本体５０の斜視図を示しており、この照明器具本体５０の外殻は、円筒状で透光性のケーシング５１と、このケーシング５１の両側に設けられているキャップ５２、５３とで構成されている。
図９は上記ケーシング５１内に配置されるプリント基板５４の平面図を示しており、このプリント基板５４の表面には発光ダイオード（ＬＥＤ）５５が所定の間隔をあけて直線状に列設されている。なお、プリント基板５４の横方向の長さは照明器具本体５０自体の長さに応じて１枚の場合や複数枚の場合がある。複数枚のプリント基板５４を用いる場合は、各プリント基板５４をメッキ線でハンダ付けにて接続するようにしている。
【０００３】
図１０はケーシング５１内に発光ダイオード５５を実装したプリント基板５４を配置した状態を示し、発光ダイオード５５からは下方に光が照射される。この照明器具本体５０は、商品を陳列する什器の棚の下面や、冷凍冷蔵ショウーケースの商品棚の下面に配設されるものであり、下方の棚の上に置かれている商品を上方から光を照らして商品を見栄えよくしているものである。
【発明の概要】
【発明が解決しようとする課題】
【０００４】
しかしながら、従来の照明器具本体５０では以下に示すような問題があった。すなわち、商品の見栄えを良くするために照度をアップさせようとすると、高出力の発光ダイオードを使用する必要があり、かかる場合には消費電力がアップして省エネルギー化に反する。
また、発光ダイオード５５の直射光を商品に照射しているため、商品が食品の場合、食品のラップに発光ダイオード５５のチップ自体が写ってしまい商品価値を下げてしまうという問題がある。
【０００５】
また、発光ダイオード５５に電流を流して点灯させると、発光ダイオード５５は発熱し、ケーシング５１は熱を帯びてしまう。ケーシング５１の材料としてポリカーボネイトを使用しているため、ケーシング５１内に配置しているプリント基板５４が発熱し、線膨張係数の影響により、照明器具本体５０全体が反り、照明器具本体５０自体の商品価値も損ねるという問題もあった。
【０００６】
本発明は上述の問題点に鑑みて提供したものであって、少なくとも以下の目的を有する発光ダイオード照明器具を提供するものである。
（１）消費電力を据え置いたままで商品への照度をアップさせること。
（２）商品を覆っているラップに発光ダイオードのチップが写らないようにすること。
（３）発光ダイオードが発熱しても発光ダイオード照明器具が反らないようにすること。
【課題を解決するための手段】
【０００７】
そこで、本発明の請求項１に記載の発光ダイオード照明器具では、発光ダイオードからの光を商品に照射する発光ダイオード照明器具において、発光ダイオード５を実装したプリント基板６と、前記発光ダイオード５からの光を反射させて該反射光を前記商品に照射する反射板７と、前記プリント基板６と前記反射板７を納装しているケーシング２とを備えていることを特徴としている。
【０００８】
請求項２に記載の発光ダイオード照明器具では、前記発光ダイオード５からの光を略水平方向に照射すべく前記プリント基板６を立設し、該プリント基板６の発光ダイオード５からの光を垂直方向に下方に反射させるべく所定の角度で傾斜させて前記反射板７を配置していることを特徴としている。
【０００９】
請求項３に記載の発光ダイオード照明器具では、前記ケーシング２の断面形状を略三角形状としていることを特徴としている。
【００１０】
請求項４に記載の発光ダイオード照明器具では、前記ケーシング２の断面形状を略三角形状以外の四角形、多角形や円形としていることを特徴としている。
【発明の効果】
【００１１】
本発明の請求項１に記載の発光ダイオード照明器具によれば、発光ダイオードからの光を商品に照射する発光ダイオード照明器具において、発光ダイオード５を実装したプリント基板６と、前記発光ダイオード５からの光を反射させて該反射光を前記商品に照射する反射板７と、前記プリント基板６と前記反射板７を納装しているケーシング２とを備えているので、消費電力を据え置いたままで商品への照度をアップさせることができ、商品を覆っているラップに発光ダイオード５のチップ自体が写らないようにすることができて、商品の価値を上げることができる。
【００１２】
請求項２に記載の発光ダイオード照明器具によれば、前記発光ダイオード５からの光を略水平方向に照射すべく前記プリント基板６を立設し、該プリント基板６の発光ダイオード５からの光を垂直方向に下方に反射させるべく所定の角度で傾斜させて前記反射板７を配置しているので、消費電力を据え置いたままで商品への照度を反射板７から下方への光の角度が略９０°の範囲にわたってアップさせることができ、特に、角度が０°である反射板７の真下では略１．３３倍照度をアップさせることができた。また、商品を覆っているラップに発光ダイオード５のチップ自体が写らないようにすることができて、商品の価値を上げることができる。
【００１３】
請求項３に記載の発光ダイオード照明器具によれば、前記ケーシング２の断面形状を略三角形状としていることにより、発光ダイオード５が発熱してもケーシング２の断面形状が円形の場合と比べて反りを抑制することができる。また、照明器具本体１（ケーシング２）の高さ寸法はプリント基板６の高さ寸法で決まるため、従来の断面が円形の直径２８ｍｍの照明器具と場合と比べて薄型にすることができ、そのため、ショーケースなどの棚に食品を置く高さスペースを有効に取ることができる。
【００１４】
請求項４に記載の発光ダイオード照明器具によれば、前記ケーシング２の断面形状を略三角形状以外の四角形、多角形や円形としていることで、照明器具本体１の形状を任意のデザインとして意匠効果を挙げることができる。
【図面の簡単な説明】
【００１５】
【図１】本発明の実施の形態における照明器具本体の斜視図である。
【図２】（ａ）〜（ｆ）は本発明の実施の形態における照明器具本体の平面図、正面図、底面図、背面図、左側面図及び右側面図である。
【図３】本発明の実施の形態における図２（ｂ）のＡ−Ａ拡大断面図である。
【図４】本発明の実施の形態における要部分解斜視図である。
【図５】本発明の実施の形態における照度を測定する場合の説明図である。
【図６】従来例の照度を測定する場合の説明図である。
【図７】本発明と従来例との照度比較測定結果を示す図である。
【図８】従来例の発光ダイオード照明器具の斜視図である。
【図９】発光ダイオードを列設したプリント基板の平面図である。
【図１０】従来例の断面が円形のケーシング内にプリント基板を配置した状態を示す図である。
【発明を実施するための形態】
【００１６】
以下、本発明の実施の形態を図面を参照して詳細に説明する。図１は本発明の照明器具本体１の斜視図を示し、図２（ａ）は照明器具本体１の平面図を、図２（ｂ）は照明器具本体１の正面図を、図２（ｃ）は照明器具本体１の底面図を、図２（ｄ）は照明器具本体１の背面図を、図２（ｅ）は照明器具本体１の左側面図を、図２（ｆ）は照明器具本体１の右側面図をそれぞれ示している。
また、図３は図２（ｂ）のＡ−Ａ拡大断面図を示し、図４は照明器具本体１の要部分解斜視図を示している。
【００１７】
本発明の照明器具本体１は、ショウーケースのランプ（発光ダイオード光）の光の照射範囲を、ショウーケースの棚に置かれている商品（例えば、生鮮食品）のみ（必要な部分のみ）に集光させ、消費電力は従来と同じにして、照度のみを約１．３３倍アップさせるようにしたものである。
【００１８】
照明器具本体１は、断面を略三角形状とし、材料を透光性のポリカーボネイトとしたケーシング２と、このケーシング２の両側に装着される断面を略三角形状としたキャップ３、４とで外殻が構成されている。
図３及び図４に示すように、従来と同様の構成である発光ダイオード５を複数列設したプリント基板６が透光性のケーシング２内に納装されている。また、本発明では従来例には無い反射板７がケーシング２内に配置されている。
【００１９】
上記ケーシング２は、押出成形により製造されるものであり、光拡散剤入りを使用しており、左右が開口しているケーシング２内に上述したようにプリント基板６及び反射板７を挿入して配置するようにしている。なお、透光性のケーシング２としては、透明なパイプや、光拡散タイプ（拡散剤入りの樹脂）の場合がある。
図３に示すように、ケーシング２の立設した背部１０の内側の上下には凸部１１、１２が一体に突設されていて、この上下の凸部１１、１２と背部１０とでプリント基板６を挿入配置する基板用溝１３を形成している。
【００２０】
また、ケーシング２の内側上部には略逆Ｔ字状の突部１４が一体に垂設されており、この突部１４の左上方には穴１５がケーシング２の全長にわたって形成されている。そして、この穴１５の両側にはねじ穴１６が螺刻されている。
上記突部１４の右側に突起１７が一体に形成され、また、この突起１７と対向したケーシング２の前部の部分に突起２０が一体に形成されている。この対向した突起１７、２０と、ケーシング２の傾斜部２１の内面とで上記反射板７を挿入配置する反射板用溝２２を形成している。
【００２１】
プリント基板６及び反射板７を、基板用溝１３及び反射板用溝２２にそれぞれスライド挿入し、プリント基板６及び反射板７をケーシング２内に配設する。図４に示すように、左右のキャップ３、４は同じ形状であり、キャップ３の側板２３には電源用のリード線２４（図１参照）挿通用の穴２５、２５が穿孔されている。
この穴２５、２５にブッシュ２６、２６が装着され、このブッシュ２６、２６にリード線２４、２４を挿通し、該リード線２４の先端をプリント基板６の電源側のパターンに接続している。
【００２２】
また、キャップ３の側板２３の上部には小孔２７が穿設されていて、この小孔２７にネジ３０を挿通し、ケーシング２のねじ穴１６にネジ３０を螺着することで、キャップ３がケーシング２の側面に装着固定される。
なお、リード線２４のプリント基板６への接続は、左右のキャップ３、４のどちらからでも可能としてある。
【００２３】
ここで、プリント基板６の発光ダイオード５からの光の照射方向は図３に示すように、水平方向としてあり、この水平方向の光を垂直方向の下方へと光を反射させるべく反射板７が適宜な傾斜角度となるようにケーシング２の傾斜部２１の傾斜角度を設定している。
【００２４】
次に、本発明と従来例との照度比較測定の結果について説明する。図５は本発明の照明器具本体１を用いた場合であり、図６は断面を円形とした従来の照明器具本体５０の場合である。
照明器具本体１、５０はそれぞれ棚より高さ３００ｍｍの位置に設定し、本発明では、反射板７による垂直の反射光を角度０°とし、「商品側」、「外側」への角度に応じて照度ｌｘを測定した。また、従来例では、発光ダイオード５５からの垂直の直射光を０°としている。
また、反射板７の反射材は反射率９８％以上のものを使用している。
【００２５】
測定条件として、本発明、従来例共に同一のプリント基板６、電源を使用し、消費電力は１５Ｗである。２０１７年２月２４日に大阪市立工業研究所で測定したものである。
その測定結果を図７に示す。図７では、「０°」の部分を中心に「外側」と「商品側」へ「５°」ずつ角度をずらした位置での照度を測定した。上の欄が本発明の照度の測定結果であり、真ん中の欄が従来の現行照明器具の照度の測定結果である。一番下の欄が反射板７を設けた本発明の現行照明器具に対する照度アップ率を示している。
【００２６】
角度「０°」の部分が照度のアップ率が略１．３３倍と最も高く、「外側３０°」から「商品側１５°」の範囲では、照度のアップ率が略１．２８倍となっており、広い角度の範囲において照度がアップしているのが分かる。
特に、「外側５０°」から「商品側４０°」にわたる略９０°の範囲にわたって現行の照明器具本体５０と比べてアップさせることができた。
【００２７】
このように、本発明においては、発光ダイオード５から反射板７にて反射させて光の照射方向を一方向へ集中させることで、照明器具本体１の消費電力は従来の照明器具と同じとして被照射体への照度をアップさせることができ、省エネルギー化を図ることができる。
また、光を反射板７にて反射させているので、ＬＥＤのチップ自体が食品を覆っているラップ等に写らなく商品価値を上げることができる。さらには、発光ダイオード５が発熱しても、ポリカーボネイト製のケーシング２は従来では反ったが、本発明では、断面を略三角形状としているので、ケーシング２の反りも大幅に低減させることができる。
【００２８】
また、従来例の照明器具本体５０のケーシング５１の直径は２８ｍｍであるが、本発明では、断面を略三角形状とすることで、照明器具本体１（ケーシング２）の高さを１８ｍｍと薄型にすることができ、そのため、ショーケースへ食品を置く高さスペースを有効に取ることができる。
【００２９】
なお、反射板７の傾斜配置角度を任意の角度にすることで、光を必要な箇所に集光させることができる。本実施形態では、「０°」の箇所に相当する部分が最も照度をアップさせるようにしたが、反射板７の傾斜配置角度を任意に設定することで、「外側」方向や「商品側」方向の任意の箇所の照度を最も上げるようにすることができる。
【００３０】
なお、上記実施形態では、照明器具本体１の断面形状を略三角形状としていたが、これに限られるものではない。図３において、プリント基板６を垂直方向に立設して発光ダイオード５の光に照射方向を水平方向とし、この発光ダイオード５からの光を下方へと反射させるべく反射板７を所定の傾斜角度に配置している。
そして、プリント基板６及び反射板７はそのままの状態として、ケーシング２の断面形状を四角形や円形、あるいは多角形としても良い。これにより、照明器具本体１の形状を任意のデザインとして意匠効果を挙げることができる。なお、ケーシング２の断面形状に対応させてキャップ３、４の形状も対応させることは言うまでもない。
【００３１】
また、上述したように、ケーシング２の断面形状は種々のものに適用し、プリント基板６も垂直方向だけでなく、任意の角度でもって配置し、発光ダイオード５からの光を下方（真下方向）へ照射したり、角度を持たせて下方へ照射すべく反射板７の傾斜配置角度は任意に配置可能である。
【符号の説明】
【００３２】
１  照明器具本体
２  ケーシング
３、４  キャップ
５  発光ダイオード
６  プリント基板
７  反射板
【図１】
2019091585.tif 000003
【図２】
2019091585.tif 000004
【図３】
2019091585.tif 000005
【図４】
2019091585.tif 000006
【図５】
2019091585.tif 000007
【図６】
2019091585.tif 000008
【図７】
2019091585.tif 000009
【図８】
2019091585.tif 000010
【図９】
2019091585.tif 000011
【図１０】
2019091585.tif 000012
【手続補正書】
【提出日】平成30年11月30日(2018.11.30)
【手続補正１】
【補正対象書類名】特許請求の範囲
【補正対象項目名】全文
【補正方法】変更
【補正の内容】
【特許請求の範囲】
【請求項１】
発光ダイオードからの光を商品に照射する発光ダイオード照明器具において、
発光ダイオード（５）を実装したプリント基板（６）と、
前記発光ダイオード（５）からの光を反射させて該反射光を前記商品に照射する反射板（７）と、
前記プリント基板（６）と前記反射板（７）を納装しているケーシング（２）とを備え、
前記プリント基板（６）は、前記発光ダイオード（５）からの光を略水平方向に照射すべく立設し、
前記反射板（７）は、該プリント基板（６）の発光ダイオード（５）からの光を垂直方向に下方に反射させるべく所定の角度で傾斜させて配置していることを特徴とする発光ダイオード照明器具。
【請求項２】
前記ケーシング（２）の断面形状を略三角形状としていることを特徴とする請求項１に記載の発光ダイオード照明器具。
【請求項３】
前記ケーシング（２）の断面形状を略三角形状以外の四角形、多角形や円形としていることを特徴とする請求項１に記載の発光ダイオード照明器具。
【手続補正２】
【補正対象書類名】明細書
【補正対象項目名】０００７
【補正方法】変更
【補正の内容】
【０００７】
そこで、本発明の請求項１に記載の発光ダイオード照明器具では、発光ダイオードからの光を商品に照射する発光ダイオード照明器具において、発光ダイオード５を実装したプリント基板６と、前記発光ダイオード５からの光を反射させて該反射光を前記商品に照射する反射板７と、前記プリント基板６と前記反射板７を納装しているケーシング２とを備え、
前記プリント基板６は、前記発光ダイオード５からの光を略水平方向に照射すべく立設し、前記反射板７は、該プリント基板６の発光ダイオード５からの光を垂直方向に下方に反射させるべく所定の角度で傾斜させて配置していることを特徴としている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
請求項２に記載の発光ダイオード照明器具では、前記ケーシング２の断面形状を略三角形状としていることを特徴としている。
【手続補正５】
【補正対象書類名】明細書
【補正対象項目名】００１０
【補正方法】変更
【補正の内容】
【００１０】
請求項３に記載の発光ダイオード照明器具では、前記ケーシング２の断面形状を略三角形状以外の四角形、多角形や円形としていることを特徴としている。
【手続補正６】
【補正対象書類名】明細書
【補正対象項目名】００１１
【補正方法】変更
【補正の内容】
【００１１】
本発明の請求項１に記載の発光ダイオード照明器具によれば、発光ダイオードからの光を商品に照射する発光ダイオード照明器具において、発光ダイオード５を実装したプリント基板６と、前記発光ダイオード５からの光を反射させて該反射光を前記商品に照射する反射板７と、前記プリント基板６と前記反射板７を納装しているケーシング２とを備えているので、消費電力を据え置いたままで商品への照度をアップさせることができ、商品を覆っているラップに発光ダイオード５のチップ自体が写らないようにすることができて、商品の価値を上げることができる。
また、前記プリント基板６は、前記発光ダイオード５からの光を略水平方向に照射すべく立設し、前記反射板７は、該プリント基板６の発光ダイオード５からの光を垂直方向に下方に反射させるべく所定の角度で傾斜させて配置しているので、消費電力を据え置いたままで商品への照度を反射板７から下方への光の角度が略９０°の範囲にわたってアップさせることができ、特に、角度が０°である反射板７の真下では略１．３３倍照度をアップさせることができた。また、商品を覆っているラップに発光ダイオード５のチップ自体が写らないようにすることができて、商品の価値を上げることができる。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
請求項２に記載の発光ダイオード照明器具によれば、前記ケーシング２の断面形状を略三角形状としていることにより、発光ダイオード５が発熱してもケーシング２の断面形状が円形の場合と比べて反りを抑制することができる。また、照明器具本体１（ケーシング２）の高さ寸法はプリント基板６の高さ寸法で決まるため、従来の断面が円形の直径２８ｍｍの照明器具と場合と比べて薄型にすることができ、そのため、ショーケースなどの棚に食品を置く高さスペースを有効に取ることができる。
【手続補正９】
【補正対象書類名】明細書
【補正対象項目名】００１４
【補正方法】変更
【補正の内容】
【００１４】
請求項３に記載の発光ダイオード照明器具によれば、前記ケーシング２の断面形状を略三角形状以外の四角形、多角形や円形としていることで、照明器具本体１の形状を任意のデザインとして意匠効果を挙げることができる。
【手続補正１０】
【補正対象書類名】図面
【補正対象項目名】図１
【補正方法】変更
【補正の内容】
【図１】
2019091585.tif 000013